(57)【特許請求の範囲】
【請求項１】
発光素子と、照明器具本体とを有する照明装置において、
前記照明器具本体は略直方体形状であり、別体である長枠と短枠と透光パネルとからなり、
前記長枠は、前記照明器具本体の上面と長手側面とを覆う凹型形状をしており、
前記短枠は、前記照明器具本体の短手側面の一部を覆う板状をしており、
前記発光素子は、当該発光素子の発光面が前記照明器具本体の下面を向いて前記照明器具本体に収納され
前記透光パネルは、前記照明器具本体の短手側面の他部と下面とを覆う一体の凹型形状をしていることを特徴とする照明装置。
【請求項２】
請求項１に記載の照明装置において、
前記発光素子を発光させるための点灯回路が、前記照明器具本体内において前記発光面とは反対側に設けられることを特徴とする照明装置。
【請求項３】
発光部と、照明器具本体と、を有する照明装置において、
前記発光部は、基板と前記基板の一面側に設けられた複数の発光素子と前記基板の他面側に設けられた前記発光素子の点灯回路とからなり、
前記照明器具本体は略直方体形状であり、別体である長枠と短枠と透光パネルとからなり、
前記長枠は前記発光部を支持し、長枠部Ａと長枠部Ｂと長枠部Ｃと基板載置部と載置部Ｂと載置部Ｃとからなり、
前記長枠部Ａと前記長枠部Ｂと前記長枠部Ｃとは、略長方形の板状をしており、
前記長枠部ＢとＣは同じ大きさをしており、かつ前記長枠部Ａよりも小さく、
前記長枠部Ｂと前記長枠部Ｃは、前記長枠部Ａと略垂直となるように前記長枠部Ａの長手方向両端に設けられており、
前記基板載置部は略長方形の板状であり、前記長枠部ＢとＣとの間に設けられており、
前記長枠部Ａと前記長枠部Ｂと前記長枠部Ｃと前記基板載置部とによって点灯回路部を形成し、
前記載置部ＢとＣは略長方形の板状であり、前記長枠部ＢとＣとの間かつ前記基板載置部に対して前記点灯回路部とは反対側に設けられており、
前記透光パネルは、前記発光部からの光を透過し、第１の透光パネル部と第２・第３の透光パネル部とからなり、
前記第１の透光パネル部は前記長枠部Ａと略同じ大きさをしており、前記第２・第３の透光パネル部は、前記第１の透光パネルと略垂直となるように前記第１の透光パネル部の短手方向両端に一体となるよう設けられており、
前記第１の透光パネル部は前記載置部ＢとＣとの間に設けられ、
前記短枠は、前記発光部や前記長枠と接合し、前記第２・第３の透光パネル部の一部と前記点灯回路部の短手方向とを覆う形状をしていることを特徴とする照明装置。
【発明の詳細な説明】
【技術分野】
【０００１】
本発明は照明装置に関する。
【背景技術】
【０００２】
ビル・オフィス・工場などの天井における照明として、直線性を創出するために直管形蛍光灯などを用いた照明装置を長手方向に並べて設置する場合がある。特許文献１においては、額縁を有する器具本体内に直管蛍光灯を配置し、長手方向に並べて設置する際にはそれぞれの器具本体の額縁同士を連結具で連結することが記載されている。
【先行技術文献】
【特許文献】
【０００３】
【特許文献１】特開２０１０−２１８８３７号公報
【発明の概要】
【発明が解決しようとする課題】
【０００４】
特許文献１では複数の照明装置の額縁１２，７２を連結具１７によって繋ぐことで、複数の照明装置を長手方向に直線的に並べることができ、照明装置の直線性を創出するようになっている。ただし、特許文献１に記載の発明では額縁１２，７２があることにより、複数の照明装置を長手方向につないだときでも直線の中に額縁１２，７２の枠分だけ影がうまれることになる。これにより特許文献１に記載の照明装置を長手方向に連続して設けた場合であっても、額縁１２，７２があることにより一つ一つの照明装置の境目が分かり、一体に直列配置したようには見えない恐れがある。
【０００５】
本発明では複数の照明装置を長手方向に並べて配置したときに、直線性を創出することができる照明装置を提供することを目的としている。
【課題を解決するための手段】
【０００６】
上記課題を解決するため、本発明では、発光素子と、照明器具本体とを有する照明装置において、照明器具本体は略直方体形状であり、別体である長枠と短枠と透光パネルとからなり、長枠は、照明器具本体の上面と長手側面とを覆う凹型形状をしており、短枠は、照明器具本体の短手側面の一部を覆う板状をしており、発光素子は、当該発光素子の発光面が照明器具本体の下面を向いて照明器具本体に収納され透光パネルは、照明器具本体の短手側面の他部と下面とを覆う凹型形状をしていることを特徴とする照明装置。
【発明の効果】
【０００７】
本発明によれば、複数の照明装置を長手方向に直列に並べたときにも直線性を創出することができるという効果を奏する。
【図面の簡単な説明】
【０００８】
【図１】本発明に係る実施形態の照明装置を示す斜視図である。
【図２】図１の照明器具本体１と係止部５を上方向と長手方向を通るように切断し、短手方向から見た断面図である。
【図３】図１の照明器具本体と係止部５を上方向と短手方向を通るように切断し、長手方向から見た断面図である。
【図４】透光パネル４の斜視図である。
【図５】長枠２を上方向から見たときの斜視図である。
【図６】長枠２を下方向から見たときの斜視図である。
【図７】（ａ）は短枠３を照明器具本体１の外側から見た斜視図である。（ｂ）は短枠３を照明器具本体１の内側から見た斜視図である。
【図８】図１から透光パネル４を外した状態の照明装置の斜視図である。
【図９】本発明に係る実施形態の照明器具本体１を照明器具本体の長手方向に連続するよう配置した場合の斜視図である。
【図１０】図９の照明器具本体１を短手方向側面側から見た場合の斜視図である。
【図１１】天井１０に取付けた場合の照明器具本体１の斜視図である。
【発明を実施するための形態】
【０００９】
以下、本発明の実施形態について図面を参照して説明する。
【００１０】
図１は本発明に係る実施形態の照明装置を示す斜視図である。図２は図１の照明器具本体１と係止部５を上方向と長手方向を通るように切断し、短手方向から見た断面図である。図３は図１の照明器具本体と係止部５を上方向と短手方向を通るように切断し、長手方向から見た断面図である。
【００１１】
本実施形態の照明器具本体１は、長枠２と短枠３と透光パネル４と係止部５と照明器具本体１内に設けられている光源７から構成されている。本実施例において、照明器具本体１の外形は直方体である。天井取付け部６は天井１０に設けられており、照明器具本体１は係止部５を介して天井取付け部６に取付けられる。天井取付け部６は直線状であり、照明器具本体１が複数設けられる。
【００１２】
ここで、照明器具本体１が天井取付け部６に取付けられた際の天井側を上方向、床面側を下方向とする。つまり、照明器具本体１が天井取付け部６に取付けられた場合、上方向から下方向に、天井取付け部６，係止部５，照明器具本体１の順になるように取付けられることになる。また、照明器具本体１の外形は直方体であるため、照明器具本体１は６つの面が存在する。これ以降、照明器具本体１が天井取付け部６に取付けられたときを基準として、照明器具本体１の天井側の面を上面、照明器具本体１の床面側の面を下面、天井取付け部６と平行となる照明器具本体１の側面を長手方向側面、上面・下面・長手方向側面以外の天井取付け部６と交差する照明器具本体１の側面を短手方向側面と呼ぶことにする。また、これ以降、天井に平行であり天井取付け部６と平行となる方向を長手方向、天井に平行であり天井取付け部６と交差する方向を短手方向と呼ぶ。
【００１３】
長枠２は、照明器具本体１の上方向と長手方向側面を覆うような凹型である。短枠３は、照明器具本体１の短手方向側面の一部を覆うような板状である。透光パネル４は照明器具本体１の下方向と短手方向の一部を覆うような凹型である。係止部５の外形は、Ｈ型である。係止部５の下面は、照明器具本体１の上面である長枠２に接続される。天井取付け部６は下面方向の一部と短手方向が開口した直方体である。係止部５の上面は天井取付け部６の下面に接続される。また、図示しないが係止部５内には天井取付け部６から電源を得、光源７に伝える構造が設けられている。
【００１４】
図４は透光パネル４の斜視図である。透光パネル４は光源７からの光を透過するものであり、透明でも乳白色でもよい。本実施例において、透光パネル４は板状部４ａ・４ｂとで構成され、板状部４ａと４ｂは一体で設けられている。板状部４ａは照明器具本体１の下面を覆うような長方形の板状である。板状部４ｂは照明器具本体１の短手方向側面の一部を覆うような板状である。板状部４ｂは板状部４ａの長手方向端部に板状部４ａと略垂直になるよう設けられている。透光パネル４の外形は幅の広い凹型形状である。板状部４ｂの短手方向長さは板状部４ａの短手方向長さよりも短い。これは後述する長枠２の載置部２ｂ・２ｃに透光パネル４を載置し、照明器具本体１の短手方向側面の一部を覆うためである。また、板状部４ｂは板状部４ａの短手方向略中央に位置している。これは透光パネル４を載置部２ｂ・２ｃに載置する場合に載置部２ｂ・２ｃの邪魔にならずに保持されるためである。透光パネル４を凹型形状とすることで、照明器具本体１内の光源７からの光が短手方向にも透過でき、照明器具本体１からの発光面積が広くなる。また、照明器具本体１の下面と短手方向側面とが接する位置に枠部がなく透光パネル４で照明器具本体１の下面と短手方向側面とが接する位置を覆うため、複数の照明器具本体１を長手方向に連続して設けた場合に直線性を創出することができるという効果を奏する。本実施例において４ａと４ｂが一体で設けられているがこの限りでない。４ａと４ｂの接続部に影が生じないような構成であれば別体とし、後に組み合わせても良い。
【００１５】
図５は長枠２を上方向から見たときの斜視図である。図６は長枠２を下方向から見たときの斜視図である。長枠２は長枠上面２ａ、２つの長枠長手方向側面２ｆ、それぞれ２つの載置部２ｂ・２ｃ、基板載置部２ｄから構成されている。長枠上面２ａと２つの長枠長手方向側面２ｆにより長枠２の外形は凹部形状となる。２つの長枠長手方向側面２ｆは長枠上面２ａの短手方向両端部２ｂに長枠上面２ａと略垂直となるよう設けられている。それぞれ２つの載置部２ｂ・２ｃは長手方向側面２ｆの両方の内側に設けられている。載置部２ｂ・２ｃとも短手方向には渡らない。長枠上面２ａが長枠長手方向２ｆの内側面の上方向端部に設けられているとすると、載置部２ｃは長枠長手方向２ｆの内側面の下方向端部に設けられることになる。載置部２ｂは長枠長手方向２ｆの内側面に載置部２ｃと一定の距離を持って設けられる。載置部２ｂと２ｃの間には透光パネル４の板状部４ａが置かれるため、載置部２ｂと載置部２ｃの間の距離は透光パネル４の板状部４ａの厚さ以上の距離が必要である。ここで、載置部２ｂ・２ｃは透光パネル４が載置されればよいため、長手方向に渡って設けられなくとも良い。基板載置部２ｄは板状であり、長枠２の長手方向と短手方向に渡るよう設けられている。基板載置部２ｄには光源７が置かれる。長枠２の上面と長手方向側面と基板載置部２ｄと短枠３により点灯回路部２ｅが構成される。点灯回路部２ｅには、光源７を点灯させる点灯回路（図示しない）が設けられている。点灯回路部２ｅから光源７へ電源を供給するために基板載置部２ｄには孔等が設けられている（図示しない）。基板載置部２ｄは照明器具本体１において上面と下面の間かつ載置部２ｂより上方向に設けられている。
【００１６】
図７（ａ）は短枠３を照明器具本体１の外側から見た斜視図である。図７（ｂ）は短枠３を照明器具本体１の内側から見た斜視図である。短枠３は短枠部３ａと２つの短枠部３ｂよりなる板状の凹型形状である。短枠３を長枠２に取付けることにより、照明器具本体１の短枠方向側面の一部を覆い、また、透光パネル４が長枠２の載置部２ｂ・２ｃから抜け落ちることを防いでいる。本実施例において短枠３の四隅にはネジ止め穴が開いている。このネジ止め穴にネジを通し、短枠３と長枠２とを接続させている。本実施例において透光パネル４は長枠２や短枠３と接続はされておらず、係止されているのみである。但し、それぞれと接続することで透光パネル４が抜け落ちることをより防ぐため、この限りではない。
【００１７】
本実施例において光源７にはＬＥＤ（発光ダイオード，発光素子）が用いられている。
光源７は長枠２の基板載置部２ｄに設けられる。ＬＥＤは、照明器具本体１に取付けられた際に発光面が下側を向くように設けられる。ＬＥＤは基板や点灯回路から電源を得る。基板や点灯回路はＬＥＤの下部に（照明器具本体１が天井１０に取付けられたときを基準とすると上から点灯回路，基板，ＬＥＤの順に）設けられるため、従来の光源に蛍光灯を用いるタイプのように照明器具本体の長手方向端部に給電部としてソケットを設ける必要がない。これにより照明器具本体１において長手方向端部に影となる枠がなくなるため連続的に設けた場合に直線性を創造できる。
【００１８】
また、本実施例では短手方向に短枠３を設けているが、短枠３を設けずに透光パネル４で短手方向を覆うことも可能である。その場合、本実施例の透光パネル４よりも短手方向に深い板状部４ｂを有する凹型形状となる。また、本実施例において照明器具本体１の上面と長手方向側面を覆うような長枠２も係止部５のある上面以外は覆う必要がないため、透光パネル４をその方向も含めた５方向（照明器具本体１の長手方向側面，短手方向側面，下面）を覆うような形状としてもよい。このような形状とすることで枠部がなくなり照射範囲が広がるという効果を奏する。
【００１９】
図８は図１から透光パネル４を外した状態の照明装置の斜視図である。図８に示すとおり、光源７は基板載置部の長手方向に１列に並んで設けられている。光源７を照明器具本体１内に１つ設けるのではなく長手方向に並べて設けることにより、透光パネル４から出射する光の量が増す効果を奏する。また、光源７の照射範囲はある程度決まっているため、１つよりも並べて設けた方が照射範囲を広げることができるという効果を奏する。本実施例において光源７は長手方向に１列に並んで設けられているが、この限りではない。長手方向に２列に並んで設けられても３列に並んで設けられても良い。光源７の数が増えるほど照射範囲，照射量を増すことができる。また、光源７は反射板と組み合わせて設けられても良い。
【００２０】
長枠２と短枠３と透光パネル４とを組み合わせる際は、以下のように行う。光源７が基板載置部２ｄに置かれ、点灯回路部２ｅに点灯回路が設けられ、点灯回路と光源７とが接続された状態とする。長枠２の載置部２ｂ・２ｃの間に透光パネル４を載置する。この際、透光パネル４は長枠２の一方の短手方向側面から他方の短手方向側面へと長手方向に沿うようにスライドさせて透光パネル４を載置する。ここまでの動作により長枠２は、下面と短手方向側面の一部を透光パネル４により覆われた状態となる。短手方向側面は全部覆われておらず、透光パネル４は載置部２ｃに置かれただけの状態であり長手方向に動いてしまう。照明装置として透光パネル４が動くと透光パネル４の落下の危険があるため、続いて、短枠３を長枠２の短手方向側面に透光パネル４の板状部４ｂの一部を挟むように位置させ、ネジなどで長枠２と接続する。これにより、照明装置本体１の下面から短手方向側面の一部にいたるまで透光パネルで覆われ、枠など光源からの光を妨げることのないベース型照明が作成されることになる。
【００２１】
図９は本発明に係る実施形態の照明器具本体１を照明器具本体の長手方向に連続するよう配置した場合の斜視図である。図１０は図９の照明器具本体１を短手方向側面側から見た場合の斜視図である。図１１は天井１０に取付けた場合の照明器具本体１の斜視図である。
【００２２】
照明器具本体１を長手方向に連続するよう配置すると、長手方向において光源７からの照射を妨げる箇所（従来は短枠により影となっていた部分）はなくなる。これにより、照明装置同士の継ぎ目以外から照明装置を見るとあたかも一本の長い照明装置があるかのように見え、直線性が創出される。
【符号の説明】
【００２３】
１  照明器具本体
２  長枠
３  短枠
４  透光パネル
５  係止部
６  天井取付け部
７  光源
１０  天井
【図１】
0005506718.tif 000002
【図２】
0005506718.tif 000003
【図３】
0005506718.tif 000004
【図４】
0005506718.tif 000005
【図５】
0005506718.tif 000006
【図６】
0005506718.tif 000007
【図７】
0005506718.tif 000008
【図８】
0005506718.tif 000009
【図９】
0005506718.tif 000010
【図１０】
0005506718.tif 000011
【図１１】
0005506718.tif 000012